(57)【特許請求の範囲】
【請求項１】
外部再生装置より再生されて供給された再生入力映像信号から特定の画像データを画像記憶手段に取り込み、この画像記憶手段に取り込まれた画像データを読み出して出力する映像信号処理装置において、
前記再生入力映像信号の一方が前記画像記憶手段に供給されると共に、その他方が供給され順次縮小画像データとする縮小画像作成手段と、
前記縮小画像作成手段により縮小された画像データを予め決定された枚数分記憶する縮小画像記憶手段と、
前記縮小画像記憶手段に記憶された複数の縮小画像データをマルチ画像として映し出す表示手段と、
前記表示手段に映し出された複数の縮小画像の中から特定の縮小画像を選択する選択手段と、
前記選択手段により選択された特定の縮小画像に対応するフレームを含む映像信号が前記外部再生装置により再度再生されて再生入力映像信号として前記縮小画像作成手段に供給されと共に、この縮小画像作成手段に供給されて縮小された縮小画像データと前記選択手段で選択された特定の縮小画像データとを比較する縮小画像判定手段とを備え、
前記縮小画像判定手段により一致したと判定された場合に、前記画像記憶手段に供給される再生入力映像信号の内一致した縮小画像データに対応する再度入力映像信号を特定の画像データとして前記画像記憶手段に取り込むようにしたことを特徴とする映像信号処理装置。
【発明の詳細な説明】
【０００１】
【発明の属する技術分野】
本発明は、表示用映像信号及びプリント用映像信号を出力する映像信号処理装置に関し、特に画像プリント装置に適用して好ましい映像信号処理装置に関する。
【０００２】
【従来の技術】
現在、市販されている画像プリント装置、即ちビデオプリンタは、画像を取り込んで記憶する際に用いるフレームメモリを一枚内蔵し、ビデオカメラやＶＴＲ等から再生された画像をこのメモリに取り込んで、このメモリに記憶された画像を紙等にプリントアウトしていた。
【０００３】
ところが、ＶＴＲ等で通常再生している映像を見ながら人間がキー操作を行うのでは、タイミングのずれが生じ易く、入力映像から目的の画像を正確に取り出すことが困難であり、さらに所望の場面をメモリに取り込む際に、このメモリに取り込んだ画像の前後の数コマを見てさらに気に入った場面をメモリに入れ直すことは一般にはできない。
【０００４】
【発明が解決しようとする課題】
ところで、画像を取り込んで記憶する際に用いるフレームメモリが３０枚程度あれば、ＶＴＲを通常再生した際に、所望の画像の前後の３０枚の画像もメモリに取り込めば、確実に所望の場面を取り込むことは可能であるが、容量の大きなフレームメモリが多数必要となるため、高価なものとなってしまう。
【０００５】
また、メモリ画の近傍を１コマ、例えば１フレーム単位でもっとも気に入った画像を取り込み直すために、ＶＴＲをスチル画にしてコマ送り操作により場面を選んでからメモリに取り込めば、目的の場面を確実にメモリに取り込むことができると考えられるが、スチル画の画質は一般に低いことから取り込んだ画像の画質は大幅に劣化する。
【０００６】
また、ビデオプリンタとＶＴＲとの間にコマ送り、停止、再生等の制御線を設けて、プリンター側でＶＴＲを制御して目的の場面をメモリに取り込むことも考えられるが、この場合、ＶＴＲが特殊になり、他のＶＴＲが使えないといった不都合が生じる可能性がある。
【０００７】
そこでこれらを改良したものとして、特開平８−１８９１０号公報に示されるものがあった。これは、所望の記憶した画像と入力されている映像とを、一方を子画面とし他方を大画面として、同一のモニタ画面上で所望の画像をプリントアウトする前に確認できるようにしたものである。しかしながら、このものは入力されている映像が通常の再生画像であるので、ゴルフのスイングのように動きが速い画像の場合は、モニタ画面上でどのフレームが一番欲しいものか動いている再生画像を人間が目で見て判別することは困難であった。
【０００８】
そこで、本発明は、フレームメモリ等の記憶手段の記憶容量をそれ程大きくしなくとも、キー操作をする人間が、所望の縮小画像とその前後の縮小画像を、固定した（静止した）マルチ画面で比較しながら選び、画質の低下していない最も気に入った画像データをフレームメモリに取り込むことができ、ビデオプリンター等に用いて好適な映像信号処理装置を提供することを目的とする。
【０００９】
【課題を解決するための手段】
上記目的を達成するために、請求項１の発明は、外部再生装置より再生されて供給された再生入力映像信号から特定の画像データを画像記憶手段に取り込み、この画像記憶手段に取り込まれた画像データを読み出して出力する映像信号処理装置において、前記再生入力映像信号の一方が前記画像記憶手段に供給されると共に、その他方が供給され順次縮小画像データとする縮小画像作成手段と、前記縮小画像作成手段により縮小された画像データを予め決定された枚数分記憶する縮小画像記憶手段と、前記縮小画像記憶手段に記憶された複数の縮小画像データをマルチ画像として映し出す表示手段と、前記表示手段に映し出された複数の縮小画像の中から特定の縮小画像を選択する選択手段と、前記選択手段により選択された特定の縮小画像に対応するフレームを含む映像信号が前記外部再生装置により再度再生されて再生入力映像信号として前記縮小画像作成手段に供給されと共に、この縮小画像作成手段に供給されて縮小された縮小画像データと前記選択手段で選択された特定の縮小画像データとを比較する縮小画像判定手段とを備え、前記縮小画像判定手段により一致したと判定された場合に、前記画像記憶手段に供給される再生入力映像信号の内一致した縮小画像データに対応する再度入力映像信号を特定の画像データとして前記画像記憶手段に取り込むようにしたことを特徴とする。
【００１２】
【発明の実施の形態】
以下、本発明の実施の形態を図面を参照して説明する。
図１は本発明の映像信号処理装置をプリンタに適用した場合の一実施形態を示す図である。ビデオカメラやＶＴＲ等の映像信号再生装置１で再生された映像信号は、プリンタ２の入力端子３ａから入力される。入力端子３ａは、例えばコンポジットビデオ用の端子や輝度信号と色信号とが分離されたＳ端子等からなり、制御部４からの制御信号により切換えられるスイッチＳＷ１の可動端子と接続されている。なお、制御部４はマイクロプロセッサ等からなり、プリンタ２の主要部と制御信号を送信・受信できるように接続されている。
【００１３】
スイッチＳＷ１の固定端子ａは、制御部４からの制御信号により切換えられるスイッチＳＷ２の固定端子ａに接続されている。スイッチＳＷ２の可動端子は、プリンタ２のコンポジットビデオ端子やＳ端子等からなる出力端子３ｂに接続されている。従って、制御部４からの制御信号により、スイッチＳＷ１及びスイッチＳＷ２のそれぞれの可動端子がそれぞれの固定端子ａ、ａに切換えられている時は、入力端子３ａより入力された映像信号は、出力端子３ｂと接続されたモニタ等の表示装置５へ出力される。
【００１４】
スイッチＳＷ１の固定端子ｂは、間引き処理部６に接続されている。この間引き処理部６は、制御部４からの制御信号に基づき、入力した映像信号を、例えば１フレーム毎から３０フレーム（１秒）毎に間引いて出力するが、全く間引かないで出力することもできる。また、この間引き処理部６は、通常、１フレーム毎の映像信号を輝度信号（Ｙ）と色差信号（Ｂ−Ｙ、Ｒ−Ｙ）に復調し、さらにＡ／Ｄ変換して１フレーム毎のデジタル画像データとして出力する。そして、この間引き処理部６の出力は、縮小画像作成部７とフレームメモリ８のそれぞれの入力に接続されている。
【００１５】
ここで、この間引き処理部６の機能について、映像信号再生装置１の映像が、ゴルフのスウィングの場合と、スキーのウェーデルン滑降の場合を例にして説明する。ゴルフのスウィングの場合は、クラブを振り上げてから打ち終わるまでが１から２秒である。従って、この中からプリントアウトしたい映像を探す場合、特にクラブがボールを打った瞬間を探す場合、１フレーム毎に映像を確認したいものである。一方スキーのウェーデルン滑降の場合は、山の斜面の上から下まで滑るのに、数十秒かかる。従って、この中からプリントアウトしたい映像を探す場合、その中で上手に滑った映像とそれなりの滑りの映像とが混じっているので、数十フレーム毎に映像を確認したいものである。このように映像の内容により、間引き率をかえるとプリントアウトしたい映像を早くしかも的確に探すことができる。
【００１６】
フレームメモリ８の出力は、プリンタ部９の入力と接続され、制御部４からの制御信号に基づき、フレームメモリ８に記憶された縮小されないデジタル画像データは、プリンタ部９で紙等に高解像度でプリントアウトすることができる。また、フレームメモリ８の出力は、スイッチＳＷ２の固定端子ｃと接続されている。従って、制御部４からの制御信号に基づき、フレームメモリ８に記憶された縮小されないデジタル画像データを表示装置５に送ることにより、縮小されない画像をモニタすることもできる。
【００１７】
縮小画像作成部７は、制御部４からの制御信号に基づき、入力されたデジタル画像データの画素データを所定の割合で間引くことにより、入力した１フレームのデジタル画像を、例えば４分の１、９分の１、または２５分の１等に縮小することができる。従って、プリントアウトしたい画像を、その前後の多くの画像と比較したい場合は、縮小率を上げて２５分の１にするとよい。また、縮小画像作成部７の出力は、縮小画像メモリ１０と縮小画像判定部１１のそれぞれの入力に接続されている。
【００１８】
縮小画像メモリ１０は、例えば２フレーム分の記憶容量を備えている場合、縮小画像作成部７で９分の１に縮小されたデジタル画像を１８コマ分記憶することができる。この縮小画像メモリ１０の出力は、マルチ画面作成部１２、縮小画像判定部１１、及び、プリンタ部９のそれぞれの入力に接続されている。縮小されたデジタル画像データが、この縮小画像メモリ１０に順次入力されると、この記憶容量に相当するコマ数分だけ記憶され、また、記憶された縮小デジタル画像データは、入力順にマルチ画面作成部１２に出力される。
【００１９】
また、縮小画像メモリ１０は、制御部４からの制御信号に基づき、順次入力される縮小画像データの記憶と読み出しが制御される。さらに、操作部１３からプリントアウトしたい特定の画像が選択された場合、特定の縮小画像データを制御部４の制御信号に基づき縮小画像判定部１１に出力することができる。
【００２０】
さらに、縮小画像メモリ１０は、制御部４からの制御信号に基づき、縮小画像メモリ１０への新たな縮小画像データの記憶を停止させて、縮小画像を９コマ並べたマルチ画面をプリンタ部９でプリントアウトすることもできる。これは、ゴルフのスウィングのように連続した複数の映像を一画面にプリントアウトしたい場合に、便利な機能である。
【００２１】
マルチ画面作成部１２は、後で説明するように、順次入力される９分の１に縮小された画像データを９コマ分順次並べて、１画面分の画像データを作ると共に、この１画面分の画像データを輝度信号と色信号とよりなるコンポーネント映像信号やコンポジット映像信号に変調する。そして、制御部４の制御信号に基づきスイッチＳＷ２の可動端子が固定端子ｂに接続されている場合、マルチ画面作成部１２で作成された９個のマルチ画面を表示部５に映し出すことができる。
【００２２】
図２は、縮小画像判定部１１の詳細を示す図である。一方の入力端子１４は、縮小画像メモリ１０の出力に接続され、縮小画像メモリ１０に記憶された複数の縮小画像データの中から、プリントアウトしたい特定の縮小画像データが入力される。他方の入力端子１５は、縮小画像作成部７の出力に接続され、映像信号再生装置１で再度再生されている映像信号の縮小画像データが入力される。入力端子１４に入力した特定の縮小画像データと、入力端子１５に入力した再生中の縮小画像データは、引き算回路１６で両者の差信号が得られる。この差信号は、通常プラス側とマイナス側の信号からなるので、絶対値回路１７でマイナス側の信号をプラス側に変換し絶対値差とし、総和回路１８で、１つの縮小画像分の絶対値差の総和を求める。そして、その絶対値差の総和の値と基準値とを比較回路１９で比較し、総和の値が基準値以下となった場合、映像信号再生装置１で再生中の映像信号の縮小画像データを、特定の縮小画像データに一致したと判定し、出力端子２０より制御部４へ一致信号を出力する。
【００２３】
特定の縮小デジタル画像と、再生中の縮小デジタル画像は、ＶＴＲ等から再生された映像信号をもとに作られるが、ＶＴＲ等の映像再生装置１は再生する毎に違ったノイズを発生することがある。従って、特定の縮小デジタル画像に対応するフレームが再生されたとしても、再生された映像信号には、特定の縮小画像を再生した時と違うノイズが含まれている場合があるので、再生中の縮小画像データは特定の縮小画像データと一致しないことがある。即ち、総和回路１８の出力がゼロになるとは限らないので、所定の基準値と比較して、基準値以下であれば再生中のフレームが、特定の縮小デジタル画像に対応するフレームに一致したと判定する。
【００２４】
次に、本発明の実施形態の操作手順について説明する。図３は、操作部１３の一部を詳細に示す図で、図４は、表示装置５の画面に映し出される映像を示す図で、図５は、操作手順を示すチャートである。キー操作する人間が、ビデオテープの映像の中からプリントアウトしたい映像を探す場合、通常、ＶＴＲを早送り再生、もしくはＶＴＲの機種によっては倍速再生とするが、早送り再生中は、図３のスルーボタン２４を押す。スルーボタン２４が押されると、図２の制御部４の制御信号に基づきスイッチＳＷ１及びＳＷ２のそれぞれの可動端子は、それぞれの固定端子ａ、ａに切り換わる。すると、ＶＴＲで早送り再生された映像信号は、入力端子３ａ、スイッチＳＷ１、スイッチＳＷ２、及び出力端子３ｂを通って、表示装置５へ送られ、図４ａ）に示すような通常の全体が一画面の映像をモニタすることができる。
【００２５】
キー操作する人間が、表示装置５の映像を見て、プリントアウトしたい映像に近くなったら、  ＶＴＲをノーマル再生とする。ノーマル再生とした後、キャプチャーボタン２３を押すと、図２の制御部４の制御信号に基づき、スイッチＳＷ１及びＳＷ２のそれぞれの可動端子は、それぞれの固定端子ｂ、ｂに切り換わる。すると、ＶＴＲでノーマル再生された映像信号は、間引き処理部６で例えば６フレーム毎に間引かれる共に、６フレーム毎の映像信号をデジタル画像データとして縮小画像作成部７へ送る。
【００２６】
次に、縮小画像作成部７では、１フレームのデジタル画像が９分の１に縮小され、縮小されたデジタル画像データは、縮小画像メモリ１０に１８コマ分が順次記憶されると共に、順次マルチ画面作成部１２へ読み出される。マルチ画面作成部１２では、９コマ分の縮小画像データを順次並べて表示装置５に、図４ｂ）のようなマルチ画面を映し出す。  即ち、ＶＴＲをノーマル再生とした後、キャプチャーボタン２３を押すと、表示装置５は、図４ａ）のような全体の画面から図４ｂ）のようなマルチ画面に変わり、ＶＴＲで再生され、間引かれた画像は、６フレーム毎に、ブランク、Ａ、Ｂ、Ｃ、Ｄ、…と並び、次の６フレーム目（映像信号がＮＴＳＣ方式の場合は０．２秒後）には、  Ａ、Ｂ、Ｃ、Ｄ、Ｅ、…と画像が移動し、１秒後（ＮＴＳＣ方式の場合）には、図４ｃ）のように縮小された画像が所定の時間間隔で移動するマルチ画面となる。
【００２７】
プリントアウトしたい所望の縮小画像が出てきたら、再度キャプチャーボタン２３を押すと共にＶＴＲを停止状態にする。すると、制御部４から縮小画像メモリ１０への制御信号に基づき、縮小画像メモリ１０への新たな縮小画像データの記憶及び縮小画像メモリ１０からの縮小画像データの読み出しは停止される。従って、表示装置５は、図４ｃ）に示すマルチ画面が静止した状態となる。
【００２８】
次に、キー操作する人間が、図４ｃ）の静止したマルチ画面を見て、プリントアウトしたい映像を探す。縮小画像は小さいがマルチ画面が静止しているので、周囲の縮小画像と比較しながら確実にプリントアウトしたい映像を探すことができる。戻りボタン２１又は送りボタン２２を最初に押すと、図４ｄ）のように中央のＩの縮小画像が点滅する。次に、戻りボタン２１を１回押すと、Ｊの縮小画像が点滅し、逆に送りボタン２２を１回押すと、Ｈの縮小画像が点滅する。Ｅの縮小画像が点滅している時に、さらに送りボタン２２を１回押すと、Ｄ以前の９コマの縮小画像からなるマルチ画面が映し出される。これは、縮小画像メモリ１０が２フレーム分の記憶容量を備えているからである。
【００２９】
キー操作する人間が、プリントアウトしたい画面を図４ｄ）のＩの縮小画像と決めたら、戻りボタン２１又は送りボタン２２を操作して、Ｉの縮小画像を点滅させた後に、キャプチャーボタン２３を所定時間（例えば２秒以上）押す。すると、プリントアウトしたい特定の縮小画像として、縮小画像メモリ１０に記憶されたＩの縮小画像データが、縮小画像判定部１１に後程送られるように、Ｉの縮小画像データの開始と終了のアドレスが制御部４に記憶される。
【００３０】
次に、キー操作する人間が、ＶＴＲを少し巻戻し、ノーマル再生をする。  ＶＴＲで再度ノーマル再生された映像信号は、間引き処理部６では全く間引かれないで、再度入力した映像信号をデジタル画像データとして縮小画像作成部７及びフレームメモリ８へ１フレーム毎に送られる。なぜ全く間引きをしないかというと、再度入力した映像信号を先程と同様に６フレーム毎に間引いたとしても、先程と同じフレームが間引かれるとは限らないからである。
【００３１】
縮小画像作成部７では、先程と同様に、１フレームのデジタル画像が９分の１に縮小され、縮小画像データは、縮小画像メモリ１０に送られても記憶されず、縮小画像判定部１１へ送られる。すると、順次送られてくる縮小画像データは、縮小画像判定部１１で、先程プリントアウトしたいと指定された特定の縮小画像データと比較される。特定の縮小画像に対応するフレームがＶＴＲから再生されると、総和回路１８の総和の値が基準値以下となるので、縮小画像判定部１１から制御部４へ一致信号が出力される。その時、制御部４はスイッチＳＷ２の可動端子を固定端子ｃに切換えて、間引き処理部６から出力されてフレームメモリ８に記憶された縮小されないデジタル画像を表示装置５に図４ａ）のように映し出す。即ち、  ＶＴＲから再生される映像信号の縮小画像が、特定の縮小画像と一致した時には、  ＶＴＲから再生される同じ映像信号の縮小されないデジタル画像データがフレームメモリ８に記憶されていることとなる。
【００３２】
キー操作する人間は、図４ｄ）のＩのように縮小された画像が、図４ａ）のＩのように全面になったことを目で確認することにより、フレームメモリ８にプリントアウトしたい画像データが記憶されたことがわかる。その後、ＶＴＲを停止状態にすると共に、図３のキャプチャーボタンを押すと、フレームメモリ８に記憶された縮小されないデジタル画像がプリンタ部９で、紙等に印刷される。
【００３３】
印刷した後に、図３の戻りボタン２１又は送りボタン２２を押すと、表示装置５に図４ｃ）のマルチ画面が再度映し出され、先程と同様に縮小画像メモリー１０に記憶された縮小画像の中から次にプリントアウトしたい特定の縮小画像を選択することができる。また、プリントアウトしたい縮小画像がなければ、スルーボタン２４を押し、  ＶＴＲを早送り再生して、次にプリントアウトしたい映像を表示装置５から探すことができる。それからの操作手順は、図５のチャートに示すように、既に説明した内容と同様である。
【００３４】
なお、先の説明では、ＶＴＲを早送り再生し、表示装置５を見てプリントアウトしたい所望の映像の近くになったら、ＶＴＲをノーマル再生とした後、キャプチャーボタン２３を押すと、表示装置５に図４ｂ）やｃ）のような６フレーム毎に縮小画像が移動するマルチ画面としたが、表示装置５に図４ａ）のような全面の画面が６フレーム毎に切り替わるようにすることもできる。この場合は、スイッチＳＷ２の可動端子を固定端子ｃに切換え、フレームメモリ８に記憶される縮小されない画像データを表示装置５に送るようにする。そして、表示装置５にプリントアウトしたい所望の画像の近くが出てきたら、キャプチャーボタン２３を押すと、制御部４の制御信号に基づき、縮小画像メモリ１０の記憶及び読み出しは停止されると共にスイッチＳＷ２の可動端子を固定端子ｂに切換わる。すると、縮小画像メモリ１０に記憶された９コマの縮小画像が図４ｂ）のようにマルチ画面として映し出される。その後の操作は先に説明した内容と同様である。
【００３５】
本発明の一実施形態では、フレームメモリ８としたが、これをフィールドメモリとし、プリンタ２内の全てのメモリ及び制御をフィールド単位で行ってもよい。
【００３６】
また、本発明の一実施形態では、映像信号再生装置１からプリンタ２へは映像信号だけを送るものを前提としたので、プリントアウトしたい特定の縮小画像データと再度入力した映像信号の縮小画像データとを縮小画像判定部で比較するようにしたが、映像信号再生装置１からプリンタ２へフレーム番号を送れるようなものの場合には、プリントアウトしたい特定の縮小画像のフレーム番号と再度入力した映像信号のフレーム番号とを比較してもよい。
【００３７】
また、映像信号再生装置１とプリンタ２との間をＩＥＥＥ１３９４で接続したようなものの場合には、ＶＴＲ等の早送り再生、ノーマル再生、停止などの操作をプリンタ２で行うことができるので、操作は簡単になる。
【００３８】
以上詳述したように、本発明の映像信号処理装置によれば、入力した映像信号の中から所望の縮小画像及びその前後の複数の画像を縮小して縮小画像記憶手段に記憶すると共に、表示手段に複数の縮小画像をマルチ画面で静止して表示したので、その中からプリントアウトしたい画像を前後の画像と比較しながら選択することができ、かつ、選択された特定の縮小画像に対応する映像信号を縮小することなく画像記憶手段に記憶したので、この画像記憶手段の出力は高解像度のものが得られる。
【００３９】
また、縮小画像判定手段で、再度入力した映像信号の縮小画像データと選択された特定の縮小画像データとを比較し、一致したら、一致した再入力の縮小画像と対応する映像信号を縮小することなく画像記憶手段に記憶するようにしたので、映像毎のフレーム番号の出力端子がない映像信号再生装置にも適用することができ、しかも、画像を比較したり表示したりするための記憶手段の記憶容量を小さくすることができる。
【図面の簡単な説明】
【図１】本発明をプリンタに適用した場合の一実施形態を示す図である。
【図２】本発明の一実施形態の縮小画像判定部を詳細に示す図である。
【図３】本発明の一実施形態の操作部の一部を詳細に示す図である。
【図４】本発明の一実施形態の表示装置の画面に映し出される映像を示す図である。
【図５】本発明の一実施形態の操作手順を示すチャートである。
【符号の説明】
１  映像信号再生装置
２  プリンタ
４  制御部
５  表示装置
６  間引き処理部
７  縮小画像作成部
８  フレームメモリ
９  プリンタ部
１０  縮小画像メモリ
１１  縮小画像判定部
１２  マルチ画面作成部
１３  操作部
【図１】
0004026223.tif 000002
【図２】
0004026223.tif 000003
【図３】
0004026223.tif 000004
【図４】
0004026223.tif 000005
【図５】
0004026223.tif 000006